【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
印刷装置であって、
印刷媒体を搬送する搬送機構と、
前記印刷媒体に印刷を行う印刷機構と、
画像読取装置を含む画像検査装置と、
を備え、
前記印刷機構が、前記印刷媒体の搬送方向に対して交差する方向にインクの吐出口が配列されたヘッドを備え、
前記ヘッドがインクの微小液滴を吐出しつつ前記印刷媒体が前記ヘッドを１回通過することにより印刷が行われ、
前記画像読取装置が、
前記印刷媒体上において前記印刷媒体の相対移動方向に交差する方向に伸びる線状の撮像領域に向けて光を照射するライン照明部と、
前記撮像領域を撮像する１つのモノクロラインカメラ、または、各カメラの撮像範囲が、前記撮像範囲の長手方向に並ぶことにより前記撮像領域を撮像する複数のモノクロラインカメラと、
各カメラの撮像範囲が長手方向に並ぶことにより前記撮像領域を撮像する複数のカラーラインカメラと、
を備え、
前記複数のカラーラインカメラの数が、前記１つまたは複数のモノクロラインカメラの数よりも多く、カラーラインカメラの画素数が、モノクロラインカメラの画素数よりも少なく、かつ、前記カラーラインカメラの分解能が前記モノクロラインカメラの分解能と同程度であり、
前記画像検査装置が、
前記１つまたは複数のモノクロラインカメラにて取得された画像から、少なくとも１つの文字、数字もしくは記号またはバーコードパターンである情報要素の部位である情報要素画像を抽出する情報画像抽出部と、
前記情報要素画像から前記情報要素が示す文字情報または数値情報である対象情報を取得する情報取得部と、
前記対象情報を保存する記憶部と、
前記複数のカラーラインカメラにて取得された画像と、印刷に用いられたデータが示す画像とを比較する画像比較部と、
を備えることを特徴とする印刷装置。
【請求項２】
請求項１に記載の印刷装置であって、
前記対象情報と、前記情報要素画像の印刷に用いられた元情報とを比較する情報比較部をさらに備えることを特徴とする印刷装置。
【請求項３】
請求項２に記載の印刷装置であって、
前記元情報から少なくとも１つの文字、数字もしくは記号またはバーコードパターンを示す画像を生成し、前記画像を含む印刷画像のデータを生成して前記印刷機構へと送信する画像データ生成部をさらに備えることを特徴とする印刷装置。
【請求項４】
請求項１ないし３のいずれかに記載の印刷装置であって、
前記対象情報を暗号化する暗号化部をさらに備え、
前記対象情報が、テキスト形式またはマークアップ言語にて表現され、前記記憶部に暗号化された前記対象情報が保存されることを特徴とする印刷装置。
【請求項５】
請求項１ないし４のいずれかに記載の印刷装置であって、
前記１つまたは複数のモノクロラインカメラが、１つのモノクロラインカメラであることを特徴とする印刷装置。
【請求項６】
請求項１ないし５のいずれかに記載の印刷装置であって、
前記１つまたは複数のモノクロラインカメラの光軸および前記複数のカラーラインカメラの光軸が平行であり、前記１つまたは複数のモノクロラインカメラと前記印刷媒体との間の光学系と、前記複数のカラーラインカメラと前記印刷媒体との間の光学系とが、少なくとも１つの光学要素を共有することを特徴とする印刷装置。
【請求項７】
請求項１ないし６のいずれかに記載の印刷装置であって、
前記搬送機構が、
印刷前の前記印刷媒体のロールを保持し、前記ロールから前記印刷媒体を前記印刷機構に向けて送り出す供給部と、
前記印刷媒体の印刷が行われた部位を巻き取る巻取部と、
を備えることを特徴とする印刷装置。
【請求項８】
相対的に移動する印刷媒体に印刷された画像を読み取る画像読取装置において、複数のカメラの位置を調整するカメラ位置調整方法であって、
前記画像読取装置が、
印刷媒体上において前記印刷媒体の相対移動方向に交差する方向に伸びる線状の撮像領域に向けて光を照射するライン照明部と、
前記撮像領域を撮像する１つのモノクロラインカメラと、
各カメラの撮像範囲が長手方向に並ぶことにより前記撮像領域を撮像する複数のカラーラインカメラと、
を備え、
前記カメラ位置調整方法が、
前記モノクロラインカメラの位置を調整する工程と、
前記モノクロラインカメラからの出力を参照しつつ前記ライン照明部による照明の明るさを調整する工程と、
前記モノクロラインカメラおよび前記複数のカラーラインカメラにて参照パターンを撮像し、前記モノクロラインカメラからの出力および前記複数のカラーラインカメラからの出力を参照して、前記複数のカラーラインカメラの撮像範囲を調整する工程と、
を備えることを特徴とするカメラ位置調整方法。
【手続補正２】
【補正対象書類名】明細書
【補正対象項目名】発明の名称
【補正方法】変更
【補正の内容】
【発明の名称】印刷装置およびカメラ位置調整方法
【手続補正３】
【補正対象書類名】明細書
【補正対象項目名】０００１
【補正方法】変更
【補正の内容】
【０００１】
本発明は、画像読取装置を備える印刷装置に関する。
【手続補正４】
【補正対象書類名】明細書
【補正対象項目名】０００７
【補正方法】変更
【補正の内容】
【０００７】
請求項１に記載の発明は、印刷装置であって、印刷媒体を搬送する搬送機構と、前記印刷媒体に印刷を行う印刷機構と、画像読取装置を含む画像検査装置とを備え、前記印刷機構が、前記印刷媒体の搬送方向に対して交差する方向にインクの吐出口が配列されたヘッドを備え、前記ヘッドがインクの微小液滴を吐出しつつ前記印刷媒体が前記ヘッドを１回通過することにより印刷が行われ、前記画像読取装置が、前記印刷媒体上において前記印刷媒体の相対移動方向に交差する方向に伸びる線状の撮像領域に向けて光を照射するライン照明部と、前記撮像領域を撮像する１つのモノクロラインカメラ、または、各カメラの撮像範囲が、前記撮像範囲の長手方向に並ぶことにより前記撮像領域を撮像する複数のモノクロラインカメラと、各カメラの撮像範囲が長手方向に並ぶことにより前記撮像領域を撮像する複数のカラーラインカメラとを備え、前記複数のカラーラインカメラの数が、前記１つまたは複数のモノクロラインカメラの数よりも多く、カラーラインカメラの画素数が、モノクロラインカメラの画素数よりも少なく、かつ、前記カラーラインカメラの分解能が前記モノクロラインカメラの分解能と同程度であり、前記画像検査装置が、前記１つまたは複数のモノクロラインカメラにて取得された画像から、少なくとも１つの文字、数字もしくは記号またはバーコードパターンである情報要素の部位である情報要素画像を抽出する情報画像抽出部と、前記情報要素画像から前記情報要素が示す文字情報または数値情報である対象情報を取得する情報取得部と、前記対象情報を保存する記憶部と、前記複数のカラーラインカメラにて取得された画像と、印刷に用いられたデータが示す画像とを比較する画像比較部とを備える。
【手続補正５】
【補正対象書類名】明細書
【補正対象項目名】０００８
【補正方法】変更
【補正の内容】
【０００８】
請求項２に記載の発明は、請求項１に記載の印刷装置であって、前記対象情報と、前記情報要素画像の印刷に用いられた元情報とを比較する情報比較部をさらに備える。
【手続補正６】
【補正対象書類名】明細書
【補正対象項目名】０００９
【補正方法】変更
【補正の内容】
【０００９】
請求項３に記載の発明は、請求項２に記載の印刷装置であって、前記元情報から少なくとも１つの文字、数字もしくは記号またはバーコードパターンを示す画像を生成し、前記画像を含む印刷画像のデータを生成して前記印刷機構へと送信する画像データ生成部をさらに備える。
【手続補正７】
【補正対象書類名】明細書
【補正対象項目名】００１０
【補正方法】変更
【補正の内容】
【００１０】
請求項４に記載の発明は、請求項１ないし３のいずれかに記載の印刷装置であって、前記対象情報を暗号化する暗号化部をさらに備え、前記対象情報が、テキスト形式またはマークアップ言語にて表現され、前記記憶部に暗号化された前記対象情報が保存される。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項６に記載の発明は、請求項１ないし４のいずれかに記載の印刷装置であって、前記１つまたは複数のモノクロラインカメラが、１つのモノクロラインカメラである。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項６に記載の発明は、請求項１ないし５のいずれかに記載の印刷装置であって、前記１つまたは複数のモノクロラインカメラの光軸および前記複数のカラーラインカメラの光軸が平行であり、前記１つまたは複数のモノクロラインカメラと前記印刷媒体との間の光学系と、前記複数のカラーラインカメラと前記印刷媒体との間の光学系とが、少なくとも１つの光学要素を共有する。
【手続補正１３】
【補正対象書類名】明細書
【補正対象項目名】００１６
【補正方法】変更
【補正の内容】
【００１６】
請求項７に記載の発明は、請求項１ないし６のいずれかに記載の印刷装置であって、前記搬送機構が、印刷前の前記印刷媒体のロールを保持し、前記ロールから前記印刷媒体を前記印刷機構に向けて送り出す供給部と、前記印刷媒体の印刷が行われた部位を巻き取る巻取部とを備える。
【手続補正１４】
【補正対象書類名】明細書
【補正対象項目名】００１７
【補正方法】変更
【補正の内容】
【００１７】
請求項８に記載の発明は、相対的に移動する印刷媒体に印刷された画像を読み取る画像読取装置において、複数のカメラの位置を調整するカメラ位置調整方法であって、前記画像読取装置が、印刷媒体上において前記印刷媒体の相対移動方向に交差する方向に伸びる線状の撮像領域に向けて光を照射するライン照明部と、前記撮像領域を撮像する１つのモノクロラインカメラと、各カメラの撮像範囲が長手方向に並ぶことにより前記撮像領域を撮像する複数のカラーラインカメラとを備え、前記カメラ位置調整方法が、前記モノクロラインカメラの位置を調整する工程と、前記モノクロラインカメラからの出力を参照しつつ前記ライン照明部による照明の明るさを調整する工程と、前記モノクロラインカメラおよび前記複数のカラーラインカメラにて参照パターンを撮像し、前記モノクロラインカメラからの出力および前記複数のカラーラインカメラからの出力を参照して、前記複数のカラーラインカメラの撮像範囲を調整する工程とを備える。
【手続補正１５】
【補正対象書類名】明細書
【補正対象項目名】００１８
【補正方法】変更
【補正の内容】
【００１８】
本発明によれば、印刷装置の画像読取装置を小型化することができる。
【手続補正１６】
【補正対象書類名】明細書
【補正対象項目名】００１９
【補正方法】変更
【補正の内容】
【００１９】
請求項６の発明では、光学系の構造を簡素化することができる。請求項５の発明では、複数のモノクロラインカメラからの画像を合成する必要がなくなり、情報要素画像を容易に取得することができる。請求項８の発明では、カラーラインカメラの撮像範囲のつなぎ部を容易に調整することができる。
【手続補正１７】
【補正対象書類名】明細書
【補正対象項目名】００７１
【補正方法】変更
【補正の内容】
【００７１】
印刷装置１０では、撮像領域９１は厳密に印刷用紙９の幅方向に沿って設定される必要はなく、印刷用紙９の相対移動方向に対して交差する方向であれば、幅方向に対して傾斜してもよい。また、ヘッド１１２の吐出口１１２１も厳密に印刷用紙９の幅方向に沿って配列される必要はなく、印刷用紙９の相対移動方向に対して交差する方向であれば、幅方向に対して傾斜してもよい。印刷装置１０における印刷媒体は、印刷用紙以外に、フィルムや板状の部材等であってもよい。さらに、印刷媒体の位置が固定され、印刷機構１１および画像読取装置１３１が移動してもよい。